(57)【要約】本発明は、誰もが時と場所を問わず、２次元平面に印刷された文字や絵情報を３次元的な音声や音に変換させ、耳を通じて情報を聞くことができるように製作が簡単で、また使用者が本や目的物の情報に座標を設定し、他の目的物と色相や文字に全く損傷を与えることなく、可視化されない座標を容易に印刷し、焦点距離が自動変換されるカメラ付きの携帯用機構を使用して座標を認識し、認識された座標値に対応する所望の情報に変えて音読効果を得ることができるようにしたものである。  従って、本発明は視覚障害者のための便宜施設物や図書、全世界における文字と音を自在に読取ることができ、学習の補助手段として活用でき、音楽や自然の音などを本と共に、生々しい原音で提供する効果がある。
2009503628.tif 000002
【特許請求の範囲】
【請求項１】
２次元平面上に目的物の位置情報生成のため、横×縦＝０．１ｍｍ２に６４個の点からなる網点座標を印刷し、上記網点座標は目的物の色相や文章に全く影響を与えないように炭素成分の黒色一般インキを可視化されない５〜３％の印刷濃度で印刷することを特徴とする印刷物の文字位置情報デジタルコード印刷方法。
【請求項２】
請求項１に記載の方法で印刷された文字位置情報デジタルコードが印刷された当該ページのデータ関連ファイル情報目的物をＰＤＦイメージファイルに変換するステップと、
上記ＰＤＦイメージファイルをコンピュータ画面で具現できる解像度（７５ｄｐｉ）に合わせてＢＭＰイメージファイルに変換するステップと、
上記ＢＭＰイメージファイルの位置によって領域を設定し、その領域ごとに順次に番号を付して当該ページに入っている目的物とマッチングされる座標コードファイルを生成するステップと、
上記座標コードファイルを順次に集合して当該目的物とマッチングされる座標出力用データファイルを生成するステップと、
上記座標出力用データファイルとサウンドファイルを特定プログラムを使用してデジタルサウンドデータファイルに変換するステップと、
上記デジタルサウンドデータファイルを使用しようとする記憶装置に合わせて圧縮及び貯蔵するステップとからなることを特徴とする印刷物の文字位置情報を音情報に変換するデジタルコード製作方法。
【請求項３】
請求項２に記載の方法で製造されたデジタルコードが入力された印刷物。
【請求項４】
ＩＣ回路が連結されて目的物座標を認識するように焦点距離を調節できるように構成されるカメラ２２と、カメラ２２を中心に三角形状で配置され、目的物の位置座標に印刷された炭素成分のみを認識し、カメラ２２に光を反射させる３個のＬＥＤ２４とで構成され、目的物の文字またはデータ符号を取得する入力部２０と、
位置座標のデータファイルに対応する音声及び動画像を圧縮デジタルサウンドデータ化し、予め入力させた記憶装置３２と、上記入力部２０を介して取得した情報と記憶装置３２の情報とを比較して互いにマッチングされる情報を認識装置１０へ伝送する中央処理装置３１と、多数の制御ボタンからなり上記中央処理装置３１を制御する外部入力装置３５と、内蔵型バッテリーまたは外部電源と連結される電源接続端子３４と、各部に必要な電源を供給するように制御する電源スイッチ３３とを含む制御部３０と、
上記中央処理装置３１の処理信号によってデジタル情報を音及び動画像情報に再現するように伝送する出力部４０とから構成され、
文字位置情報デジタルコードが印刷された印刷物のデータ関連ファイル情報を入力部２０のカメラ２２で認識し、認識された座標値と記憶装置に保存された値とを比較し、出力部４０が対応する音や動画像で出力することを特徴とする文字位置情報が入力されたデジタルコード認識装置。
【請求項５】
文字位置情報が入力されるデジタルコードをコンピュータで使用されるユニコード（各国文字配列コード）で印刷することを特徴とする請求項１に記載の印刷物の文字位置情報デジタルコード印刷方法。
【発明の詳細な説明】
【技術分野】
【０００１】
本発明はデジタルコードを目視では見えない網点座標を２次元平面上の印刷面に印刷し、２次元平面に印刷された印刷物の原形には何ら痕跡を残すことなく、一般印刷物と同様に目視で可読できる文字位置情報デジタルコード印刷及び入力方法に関するものである。
【０００２】
また、本発明は上記印刷物のデジタルコードにマルチメディア（音、映像）機能を書き込み、カメラ付きの携帯用機構を使用して座標を認識し、認識された座標値に対応する情報を３次元的な音に変換し、耳で聴取できる音読効果を同時に達成できるように文字位置情報デジタルコードが入力された印刷物及びこれを認識する認識装置に関するものである。
【背景技術】
【０００３】
最近、コンピュータの発明と持続的な技術の発展は人が見て、聞き、話す、それぞれの情報や表現を再現する手段の発明を促進することで、さらに便利な世の中となった。その中でも印刷媒体を介した知識や情報の伝達は、コンピュータを用いた電子ブックの発明によりペーパーブックの無用化までに至っている。
【０００４】
しかし、コンピュータを使用せず、平面に認知された文字と絵の情報を一次元高い言葉と音に変換する方法はよく試みられていたが、製作費用や実用的な面でそれほど効果的でないことが現状である。
【０００５】
一例として、点字ブック（触覚で認知）やスキャニング方式（予め決まった一定のルール［例：バーコード］による認知）などがたくさん活用されているが、製作コストが高く、使用方法が容易ではないため、汎用性がなく、広く使われていない。
【０００６】
上記スキャニング方式の場合、特殊符号を印刷するか、文字を印刷する場合、印刷された文字のサイズ（スキャナーのスキャニング範囲を越えてはならない）や形状（筆記体や崩し書きの文字）に制約と共に、必要のない特殊符号や網点を印刷するのに伴う煩雑さなどがあり、スキャナーは正確にスキャニングしなければ、正確な認識ができなく、その使用が不便であるという等の短所がある。
【０００７】
例えば、特許文献１に開示された符号化映像電子ブックの場合、別途の特殊な印刷インキを使用して符号を印刷するか、符号印刷するとき、他の色相と重複されることで、認識が不可能な場合が発生しており、印刷物の据置台などの別途の補助機構が必要であり、汎用性や携帯が容易でなく、印刷媒体の限定性（印刷物のサイズや紙質による認識不能）があり、実用化することが難しい。
【０００８】
【特許文献１】大韓民国実用新案登録第０３６１４６号
【発明の開示】
【発明が解決しようとする課題】
【０００９】
そこで、本発明は上記した従来の問題点を解消するためのものであり、本発明は２次元平面に印刷された文字や絵のような印刷物を目視する、可読すること以外に耳を通じた３次元的な言葉や音で聞く音読、即ち、使用者が見て、聴き取り、読取る三つの機能を同時に提供することをその目的とする。
【００１０】
本発明の技術的課題は、一般に誰もが使用する一般印刷インキを使用しながらも、他の色相と重複されないようにし、座標の表現が自由で、比較的安価の費用で製作できるようにすることにある。
【００１１】
また、座標印刷が異なる印刷色相や形状に絶対影響を与えないように可視化されなく、印刷媒体の厚みや紙質を問わず、生成される座標の範囲が印刷技法上、極大化しうる最大の範囲で設定することにある。
【００１２】
また、座標情報を文字のデジタル化に用いられるユニコード（万国共通文字配列情報）と一致させることで、色相や印刷方法に制限させないようにすることにある。
【００１３】
また、本発明は座標を認識して音に再現させる認識装置においても構造が簡単で携帯が容易であり、認識装置カメラは焦点距離及び認識媒体との間隔も自在に可変でき、再現される音以外の動画像の場合、無線（ブルートゥース）で連結された映像に再現（ＰＣモニターやテレビ等）できるようにすることにある。
【課題を解決するための手段】
【００１４】
上記目的を達成するために本発明は、２次元平面上に目的物の位置情報生成のため、横×縦＝０．１ｍｍ２に６４個の点からなる網点座標を印刷し、上記網点座標は目的物の色相や文章に全く影響を与えないように炭素成分の黒色一般インキを可視化されない５〜３％の印刷濃度で印刷することを特徴とする印刷物の文字位置情報デジタルコード印刷方法を提供する。
【００１５】
また、本発明は上記した方法で印刷された文字位置情報デジタルコードが印刷された当該ページのデータ関連ファイル情報目的物をＰＤＦイメージファイルに変換するステップと、上記ＰＤＦイメージファイルをコンピュータ画面で具現できる解像度（７５ｄｐｉ）に合わせてＢＭＰイメージファイルに変換するステップと、上記ＢＭＰイメージファイルの位置によって領域を設定し、その領域ごとに順次に番号を付して当該ページに入っている目的物とマッチングされる座標コードファイルを生成するステップと、上記座標コードファイルを順次に集合して当該目的物とマッチングされる座標出力用データファイルを生成するステップと、上記座標出力用データファイルとサウンドファイルを特定プログラムを使用してデジタルサウンドデータファイルに変換するステップと、上記デジタルサウンドデータファイルを使用しようとする記憶装置に合わせて圧縮及び貯蔵するステップとからなることを特徴とする印刷物の文字位置情報を音情報に変換するデジタルコード製作方法及び上記方法で製作された印刷物を提供する。
【００１６】
また、本発明は文字位置情報デジタルコードを音情報に変換するデジタルコードが入力された印刷物を認識する印刷物の文字位置情報デジタルコード認識装置は、ＩＣ回路が連結されて目的物座標を認識するように焦点距離を調節できるように構成されるカメラと、カメラを中心に三角形状で配置され、目的物の位置座標に印刷された炭素成分のみを認識し、カメラ２２に光を反射させる３個のＬＥＤで構成され、目的物の文字またはデータ符号を取得する入力部と、位置座標のデータファイルに対応する音声及び動画像を圧縮デジタルサウンドデータ化し、予め入力させた記憶装置と、上記入力部を介して取得した情報と記憶装置の情報とを比較して互いにマッチングされる情報を認識装置へ伝送する中央処理装置と、多数の制御ボタンからなり上記中央処理装置を制御する外部入力装置と、内蔵型バッテリーまたは外部電源と連結される電源接続端子と、各部に必要な電源を供給するように制御する電源スイッチとを含む制御部と、上記中央処理装置の処理信号によってデジタル情報を音及び動画像情報に再現するように伝送する出力部とから構成され、文字位置情報デジタルコードが印刷された単語や文章または絵のようなデータ関連ファイル情報を入力部のカメラで認識し、認識された座標値と記憶装置に保存された値とを比較し、出力部が対応する音や動画像を、出力部を介して外部に出力するように構成されることを特徴とする。
【発明の効果】
【００１７】
本発明によれば、２次元平面に印刷された文字や絵のような印刷物の情報を目視で可読するほかに耳を通じて３次元的な言葉や音で習得できる音読効果を同時に提供し、使用者が本の内容を見て、聴き取り、読取る、三つの機能を達成することができる。
【００１８】
従って、２次元的な文字や絵などの印刷物から３次元的な音や動画像に変換、製作が簡単で、使用者がいつ、どこでも使用しようとする本や目的物の情報に座標を設定し、別の目的物と色相や文字に全く損傷を与えることなく、可視化されない座標を容易に印刷し、焦点距離が自動変換されるカメラ付きの携帯用小型機構を使用して座標を認識し、認識された座標値に対応する所望の情報に変換出力するようにすることによって、その活用度が極めて高い。
【００１９】
また、本発明は視覚障害者のための便宜施設物や図書、全世界における文字と音を自在に読取り、聴き取ることができ、学習の補助手段として活用することができ、音楽や自然の音などを本と共に、生々しい原音で聴くことができる。
【００２０】
このように本発明は様々な分野に自由に適用され得ることで、教育関連分野からあらゆる出版分野、新聞／雑誌分野、会社／官公署の広報分野、観光広報／ガイド分野、視覚障害者や高齢化による視力低下者用の冊子及び案内印刷物などに効果的に活用できる等の効果を有する非常に有用な発明である。
【発明を実施するための最良の形態】
【００２１】
以下、本発明の具体的な実施例に係る構成及び作用を添付図面を参考にして詳細に説明する。
【００２２】
図２は本発明を説明するための印刷物の印刷密度を説明する参考図であり、図３は本発明に係る表面化する最大印刷密度に生成される座標の拡大図、図４は本発明が適用された座標製作方法を示した流れ図、図５は本発明が適用された目的物に座標生成過程を説明する参考図、図６は本発明が適用された目的物に座標生成過程を説明するブロック図、図７は本発明が適用された実際目的物と認識装置の一例示図、図８は本発明が適用された実際目的物と認識装置の別の例示図、図９は本発明が適用された認識装置の一例示図、図１０は本発明が適用された認識装置の構成を示したブロック図、図１１は本発明が適用された認識装置の入力部構成を示した参考図、図１２及び図１３は本発明が適用された認識装置カメラ焦点範囲を比較した参考図である。
【００２３】
本発明は、印刷物の文字位置情報デジタルコード印刷方法と、印刷物の文字位置情報を音情報に変換するデジタルコード製作方法及び上記方法で製作された印刷物と、文字位置情報を音情報に変換するデジタルコードが入力された印刷物を認識するデジタルコード認識装置を提供する。
【００２４】
まず、本発明に係る座標製作方法について説明する。
【００２５】
本発明は作ろうとする絵や文字、または印刷されたポスター、冊子などの文字や絵、動画像などのような目的物や紙以外に印刷可能な全ての材質からなる平面に入力されたその他の媒体の情報を別途の認識装置を介して音や動画像に再現するためには、当該情報が位置する位置情報を作らなければならない。
【００２６】
上記位置情報は特定座標を予め決めればよいが、この時、必要な情報は目的物の位置情報を生成する網点座標、ページ情報とその他の必要な情報に分けられる。
【００２７】
また、必要座標を作る時（生成する時）、考慮しなければならない事項は、座標のサイズ、形状、情報の配列方法などを認識する時、誤差や誤りがないように、予め設定しなければならなく、一般印刷情報と区別しなければならない。
【００２８】
そして、座標サイズを決定する時は、認識装置入力部のカメラサイズ、焦点距離及び認識範囲を考慮して最も認識率の良い状態を保持できるように、一般印刷で最も活用度の高い密度を使用する時の点のサイズを考慮する。
【００２９】
図２でのように現在使われる印刷技法上の印刷が可能な点のサイズは８〜２４μ（１μ：１／１０００ｍｍ）であるが、私たちの目で識別可能なサイズが０．１ｍｍ程度であれば、この範囲中に特定座標情報を入れられるようにしなければならない。
【００３０】
一般に最も多く使われる印刷密度は１，２００ＤＰＩ（ＤＰＩ：印刷網点の密度を示すもので、横×縦＝１インチに１２００個の点を打つ密度）から３，０００ＤＰＩまで様々な密度と、印刷ライン数１２０〜１８０ＬＰＩ（１インチに打たれるライン数）が使用されるが、本発明は最も広く使用する１，２００ＤＰＩ、１５０ＬＰＩを基準にして座標を生成するものをその実施例とする。
【００３１】
例えば、印刷密度が１，２００ＤＰＩと仮定すれば、０．１ｍｍには４個の点を印刷することが可能であり、０．４ｍｍ２の場合１６個の点が２ラインで表現することが可能になる。
【００３２】
本発明では、印刷する座標の最大可能個数を考えるとき、３２ビットの情報で充分なので、最小認識可能座標のサイズを０．４ｍｍ２に設定し、データを３２ビットで処理するようになる。
【００３３】
また、認識する認識装置カメラの傾きや認識方向によって全ての情報を正確に判読できるようにするためには、情報が円形や菱形に形成されることが最も好ましく、情報の開始と終了を区分できる特別な情報が必要になり、全体情報の量に支障を与えうるので、ここでは三角形の情報群を作り、右辺と下辺側に実際効用情報を配列する方法を駆使し、どの方向からこの情報を判読しても正確な情報を認知できるようにする。ここで、実際に作られる座標情報は図３と同様である。
【００３４】
このようにすれば、１．２ｍｍ２中に同じ情報９個を配列でき、認識装置でこの情報を読み込むとき、認識装置の焦点が形成される範囲を１．２ｍｍ２の円形にすれば、どの位置またはどの方向からでも一個の正しい情報を認識できるようになる。
【００３５】
一方、印刷物に入っていく座標の製作方式は図４と図５に示したように、作ろうとする本（２次元平面に印刷された印刷物）に編集されたデータをイメージファイル（ＰＤＦ）に変換した後、そのファイルをコンピュータ画面で具現できる解像度（７５ｄｐｉ）に下げ、ＢＭＰファイルに変換する。この時、変換するＢＭＰファイルから目的物データの領域を設定し、それぞれの領域は順次に番号を付する。
【００３６】
目的物における座標形成はページ、横、縦情報を順次に順番を決めて直ちに座標として用いる。例えば、図４で「ＣＡＲ」という文字部分は第１ページの第１番目の番号情報を設定し、自動車イメージ部分は第１ページ第２番目のように順次番号情報を設定し、これを直ちにコード化すれば、座標コードが形成されることになる（例、００１００１、００１００２、・・・）。
【００３７】
上記過程で本に編集されたデータを直ちにイメージファイルに変換せず、ＰＤＦファイルに変換した後、再びイメージファイルに変換する理由は編集された本のデータを直接イメージに変換した場合、使用された編集プログラムによって使われた書体及びイメージなどが変わる恐れがあるため、一回の過程をさらに経て最も正確なイメージファイルを得ることができるようにするためである。
【００３８】
このようにして得られたＢＭＰイメージファイルをコードプログラムを利用して当該ページに入っている単語や文章、または絵などにそれぞれコード（例：００１００１）を順次入力して貯蔵する。このとき、付されるコードファイルは順次に集合して当該文章、絵等の印刷時に着せられる座標出力用ファイルを生成する （図６参照）。
【００３９】
ここで、さらに別の方法は文字自体が持っている（ユニコード）文字デジタル情報を座標値と一致させて使用するようにするため、別途の座標情報無しにも、ユニコード情報自体だけでも十分に座標情報を代替使用できる。この場合は、別途の座標情報印刷情報を追加しなくて、一般印刷物のみを有していても文字情報を区分して本発明が成し遂げようとする目的を達成できるようにする。
【００４０】
本発明に係る座標印刷方法について説明する。
【００４１】
２次元平面上に印刷される一般印刷インキの特性を見れば、色相別に、その成分に炭素が入っているインキがある。このようなインキの特性を生かし、よく配合して印刷した順序を選別して座標を印刷する。
【００４２】
例えば、炭素成分が入っている白色で座標を印刷する場合、他の色相に影響を与えないようにするためには、最初に印刷をしなければならないが、この場合、他のインキが重ねて被せられることによって認識率が落ちる恐れがあるので、好ましくない。
【００４３】
そして、炭素成分が入っている黒色インキを使用して座標を印刷する場合、一般的に使われる黒色インキと区別しなければならない。座標を印刷する黒色インキと一般色相に使われる黒色インキは重ならないように区分されたインキを使用し、一般印刷に使われる黒色インキには炭素成分が入っていないインキを使用する。
【００４４】
ここで、炭素が入っていない黒色インキは一般インキの三原色を配合して得る。一般三原色の和は黒色になる原理を利用することである。
【００４５】
座標印刷によって他の色相に影響を与えないためには、濃度を５％未満で印刷することが好ましいが、印刷技法上３％未満の場合は印刷品質に影響を及ぼし、インキが印刷しようとする紙全体に均一に印刷されない場合が発生するので、印刷濃度は５％〜３％濃度を維持できるようにし、印刷順序は最後に座標を印刷し、認識率の最も良い品質を示すことができるようにすることが好ましい。
【００４６】
本発明に係る音声及び動画像データ製作方法について説明する。
【００４７】
図６で示されるように、音声や動画像データは上述するような位置座標を作るために、付されたコードとマッチングされるように切断し、それぞれのデータにファイル名（例：０００１．ｗａｖ）を付し、これらを集合して一個のファイルを生成し、上記ファイルは特定プログラム（ｓｏｕｎｄ  ｆｏｒｇｅ／２００３年、ソニー社製）を利用してデジタルデータにした後、使用しようとする記憶装置に合わせて圧縮し、記憶装置に書き込む。この時、注意すべき点は圧縮しすぎると、情報のデータ量が小さくなる利点があるが、原音成分をなくして機械音になりやすく、圧縮率を低くすれば、原音を生かすことができるが、情報量が多くなるという短所があるので、原音を生かすことができる最も好適な圧縮比率を見つけ出して使用しなければならない。
【００４８】
本発明では、音を圧縮する時、特定の比率を使用せず、音の情報量と記憶素子容量に合わせて最も適した比率を適用して圧縮した情報を使用する。
【００４９】
上記デジタルコードが入力された印刷物は、デジタルコードを認識する別途の認識装置を介して音情報に変換して出力するようになっている。
【００５０】
図８と図９で示されるように、上記文字位置情報デジタルコード認識装置１０は、ＩＣ回路と連結される精密のＣＭＯＳ光学レンズで形成され、目的物座標を認識するように焦点距離を調節できるように構成されるカメラ２２と、目的物の位置座標に印刷された炭素成分のみを認識し、カメラ２２に反射させるようにカメラ２２を中心に三角形状で配置される３個のＬＥＤ２４とで構成され、目的物の文字またはデータ符号を取得する入力部２０と、
位置座標のデータファイルに対応する音声及び動画像を圧縮デジタルサウンドデータ化して予め入力させた記憶装置３２と、上記入力部２０を介して取得した情報と記憶装置３２との情報を比較して互いにマッチングされる情報を認識装置１０へ伝送する中央処理装置３１と、多数の制御ボタンからなり上記中央処理装置３１を制御する外部入力装置３５と、内蔵型バッテリーまたは外部電源と連結される電源接続端子３４と、各部に必要な電源を供給するように制御する電源スイッチ３３とを含む制御部３０と、
上記中央処理装置３１の処理信号によってデジタル情報を音に再現するスピーカまたはイヤホン・ジャック、無線周波数を利用して動画像情報を別個のコンピュータやテレビのディスプレイ装置に伝送する無線動画像送出装置を含む出力部４０とから構成されている。
【００５１】
上記構成からなる認識装置は、文字位置情報デジタルコードが印刷された印刷物の当該ページに印刷された単語や文章または絵のようなデータ関連ファイル情報を入力部２０のカメラ２２を介して認識するようにし、認識された座標値を記憶装置に保存された値を比較し、対応する音や動画像などを、出力部４０を介して外部に出力できるようになる。
【００５２】
上記認識装置１０の入力部２０は、ＬＥＤのサイズ及び光の強度とカメラの焦点距離が一致するように、うまく調整しなければならなく、ＬＥＤ光は周囲の他の光の影響がないように外周面が覆いかぶせられて安全に保護されるようにし、座標が印刷された部位を選択した時、入力部ＬＥＤを介して光を照射すれば、炭素成分のみを反射させ、カメラレンズから座標情報だけを読み込むことができるようにする。
【００５３】
この時、注意すべき点は、炭素成分を反射させるＬＥＤを介して情報座標部分を照射する時、入力部が正確に情報を認識できるように、どの方向に光が偏っても中央の正確な情報を読み込むためには、三角形構図で三個のＬＥＤを付着し、三つの光がどの方向に偏ったにせよ、真ん中の正確なデータを読み込むことができるように、三つの光が真ん中に集合できるようにする。
【００５４】
上記のように行わず、左、右側に２個のＬＥＤのみを使用する場合、光が集まる真ん中のデータを認知するためには、印刷された情報に垂直の場合と左、右に傾きがある時にのみ中央データを正確に認識し、上、下に傾いた時は真ん中に焦点が合わせられないことにより、正確な情報を読み込むことができなくなる。
【００５５】
図１２で示されるように、左、右の傾きは入力部のカメラ認識範囲に影響を与えない反面、上、下に傾くと認識範囲がぼけて正しく認識することができない。
【００５６】
図１３で示されるように、上、下、左、右に入力部のカメラが傾いても、中央認識範囲には変動がなく、正確な座標を読み込むことができる。
【００５７】
一方、認識装置１０は座標を読み込める入力部を含み、音声や動画像を圧縮デジタルサウンドデータが予め入力された記憶装置、デジタル情報を音に再現するスピーカやイヤホン・ジャック、無線周波数を利用して動画像情報を別個のコンピュータやテレビ画面に送ることができる機能などを一個の機構中に、全てが一体的に組み込まれる一体型で構成し、携帯と使用がより便利にした。
【００５８】
認識装置１０の制御部３０と連結され、これを制御する外部入力端者３５は外部で別途操作が可能な多数のＯｎ／Ｏｆｆ操作スイッチを使用し、種々の機能を追加的に利用できるようにする。
【００５９】
上記外部入力端者３５の操作スイッチは、一度出力された情報を連続して送出する繰返し機能ボタン、記憶装置に音声情報を入れる時、対応される音声情報（英文→韓国語または韓国語→英文）を１組さらに記憶させておき、機能スイッチが作動すれば、当該住所に対応されるメモリーを探し、送出するようにする翻訳機能ボタン、記憶装置に入っている全ての音声情報を最初から最後まで送出するようにする全体聴き取り機能ボタンなどに区別して設定できる。
【００６０】
このように、本発明はデジタルコードを一般視覚では見えないように、網点座標を印刷し、２次元平面に印刷された印刷物の原形には、何ら痕跡も残らないので、誰でも時と場所を問わず、一般印刷物と同様、目視で可読できるようになる。
【００６１】
また、紙やその他の印刷が可能な２次元平面にマルチメディア（音、映像）機能が入力された音や動画像データに区分されたコード座標を事前に印刷し、使用者がカメラ付きの携帯用認識装置を使用して座標を認識し、認識された座標値に対応する情報は認識装置を利用し、その座標情報に対応する内容を３次元的な音に変換し、耳で聴取できる音読機能を同時に達成でき、使用者は見て、聴き取り、読み込む、三つの機能を同時に提供され、上記認識装置は音と動画像を別途のスピーカとディスプレイ装置と連係してリアルタイムで再現できるものである。
【００６２】
このように本発明は、紙印刷物に含まれた内容を永久保存するために、単純にデジタル媒体に保存する作業に止まらず、既存の紙だけでなく、全ての印刷物の原形を損傷することなく、残したまま、マルチメディア（音、映像）機能を組み込み、伝達する一般紙面（紙）媒体のデジタル化が可能であるという長所がある。
【００６３】
本発明は様々な分野において適用することができるものである。特に、教育関連分野からあらゆる出版分野、新聞／雑誌分野、企業体／官公署広報分野、観光広報／ガイド分野、視覚障害者や高齢化による視力低下者のための冊子及び案内印刷物などへと多様に活用することができ、認識装置のサイズは小さく、且つ構造も簡単なので、使用が便利で、携帯が容易で学習補助機構として広範囲に利用することができる。
【００６４】
また、従来にはバーコードをスキャン、認識し、そのデジタル情報を外部出力が可能なマルチメディア機器を介して音響サービスを提供する方式であるが、本発明は現存する全ての印刷／出版物にデジタルコードを一般視覚には見えない、特殊網点印刷処理することで、既存の印刷物の原形には何ら表示も残さず、一般印刷物と同様に製作が可能なので、既存に出版した編集データとマスターサウンドさえあれば、短時間に編集が可能で、印刷フィルムだけの場合でも認識用フィルムをさらに出力すればよいので、製作コストが低いという利点がある。
【００６５】
さらに、２次元平面上に追加的に１回印刷し、これをデジタルコードに変換、入力してデジタルコードを認識する認識装置がその処理命令に従って、それ自体に内蔵されたスピーカやヘッドホンを介して音響で文字情報を提供すると共に、自体にスキャン機能とマルチメディア（音響）サービス機能及び翻訳キーと繰返しキーを搭載しているので、印刷物を視覚的に可読しながら、音声でもその内容をリアルタイムでサービスすることによって、学習効果だけでなく視覚障害者や文盲者及び高齢による視覚低下者らも聴覚を通じて読書でき、互いに異なる言語を使用する者間でのコミュニケーションにも大きな効果がある。
【００６６】
また、青少年と成人は携帯が便利であるので、様々な機能を提供できるようにデザインされ、使用者のニーズに沿って基本スキャン、音声サービス、翻訳機能にＭＰ３、ブルートゥースなどの付加機能も追加的に提供することができる。
【産業上の利用可能性】
【００６７】
１）教育／学習分野
−乳児・幼児の口演童話マルチメディアブック及び言語（韓国語／英語等）学習テキスト
−小・中・高の外国語学習テキスト、成人の外国語学習テキスト、英語村学習テキスト
【００６８】
２）視覚障害者及び文盲者、高齢視覚低下者
−視覚障害者及び文盲者のための指示及び案内印刷物を介した音声サービス
−認識装置を用いた印刷／出版物の聴取を介した読書可能
−点字、聖書などの聴取読書可能
【００６９】
３）外国語活用ガイドブック分野
−外国を訪問するとき、会話ができるガイドブック（英語、中国語、日本語、ドイツ語等）
−外国人を対象にビジネスを行う従事者用ガイドブック
−国内外観光ガイドブック
−国際博覧会・セミナーなどのガイドブック
【００７０】
４）政府官公署及び企業広報分野
−マルチメディア広報カタログ
−特定商品の広報部津（新築アパート商品説明、新製品説明会カタログ等）
【００７１】
５）雑誌などの言論社・出版物分野
−韓流演芸雑誌（韓国語出刊物→中国語に翻訳音声サービス、芸能人育成インタビュー内容サービス等）
【００７２】
本発明は上記した活用方案の他にも様々な分野に有用に適用することができる。
【図面の簡単な説明】
【００７３】
【図１】従来の符号化映像電子ブックと認識装置の構成を示した例示図である。
【図２】印刷物の印刷密度を説明する参考図である。
【図３】本発明に係る可視化される最大印刷密度に生成される座標の拡大図である。
【図４】本発明が適用された座標製作方法を示した流れ図である。
【図５】本発明が適用された目的物に座標生成過程を説明する参考図である。
【図６】本発明が適用された目的物に座標生成過程を説明するブロック図である。
【図７】本発明が適用された実際目的物と認識装置の一例示図である。
【図８】本発明が適用された実際目的物と認識装置の別の例示図である。
【図９】本発明が適用された認識装置の一例示図である。
【図１０】本発明が適用された認識装置の構成を示したブロック図である。
【図１１】本発明が適用された認識装置の入力部構成を示した参考図である。
【図１２】本発明が適用された認識装置カメラ焦点範囲を比較した参考図である。
【図１３】本発明が適用された認識装置カメラ焦点範囲を比較した参考図である。
【符号の説明】
【００７４】
１０  認識装置
２０  入力部
２２  カメラ
２４  ＬＥＤ
３０  制御部
３１  中央処理装置
３２  記憶装置
３３  電源スイッチ
３４  電源接続端子
３５  外部入力装置
４０  出力部
【図１】
2009503628.tif 000003
【図２】
2009503628.tif 000004
【図３】
2009503628.tif 000005
【図４】
2009503628.tif 000006
【図５】
2009503628.tif 000007
【図６】
2009503628.tif 000008
【図７】
2009503628.tif 000009
【図８】
2009503628.tif 000010
【図９】
2009503628.tif 000011
【図１０】
2009503628.tif 000012
【図１１】
2009503628.tif 000013
【図１２】
2009503628.tif 000014
【図１３】
2009503628.tif 000015
【国際調査報告】
2009503628.tif 000016
2009503628.tif 000017